(57)【要約】【課題】検査済みのＲＯＭが裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかを容易に検査すること。【解決手段】読取装置５００により、たとえば基板ケースの上蓋ケースに貼着されている基板ケースシール２５０のＩＣチップ２５１から固有のＩＣタグ識別情報であるたとえば主基板番号を読み取り、同じくたとえば上蓋ケースに貼着されている管理表２５２に印刷されたバーコードからコード識別情報を読み取り、その読み取ったＩＣタグ識別情報とコード識別情報との一致又は不一致の確認により、少なくとも主要部品である検査済みのＲＯＭの検査が行われるようにした。【選択図】図４
2008212566.tif 000002
【特許請求の範囲】
【請求項１】
遊技機に設けられている、少なくとも基板ケースに収容された制御基板に搭載される主要部品を検査する遊技機の検査システムであって、
前記基板ケース、前記制御基板又は前記主要部品のいずれかに貼着され、非接触で読み取られる固有のＩＣタグ識別情報を有する第１封印シールと、
前記基板ケース又は前記制御基板のいずれかに貼着され、非接触で読み取られる固有のコード識別情報を有する第２封印シールと、
前記ＩＣタグ識別情報と前記コード識別情報とを非接触により読み取る読取装置とを備え、
前記読取装置によって読み取られた前記ＩＣタグ識別情報と前記コード識別情報との一致又は不一致の確認により、少なくとも前記主要部品の検査が行われる
ことを特徴とする遊技機の検査システム。
【請求項２】
前記ＩＣタグ識別情報及び前記コード識別情報は、少なくとも主基板番号を示す一次元コードデータであることを特徴とする請求項１に記載の遊技機の検査システム。
【請求項３】
前記ＩＣタグ識別情報及び前記コード識別情報は、少なくともロット番号を示す二次元コードデータであることを特徴とする請求項１に記載の遊技機の検査システム。
【請求項４】
遊技機に設けられている、少なくとも基板ケースに収容された制御基板に搭載される主要部品を検査する遊技機の検査方法であって、
前記基板ケース、前記制御基板又は前記主要部品のいずれかに貼着される第１封印シールから固有のＩＣタグ識別情報を読み取る工程と、
前記基板ケース又は前記制御基板のいずれかに貼着される第２封印シールから固有のコード識別情報を読み取る工程とを有し、
読み取られた前記ＩＣタグ識別情報と前記コード識別情報との一致又は不一致の確認により、少なくとも前記主要部品の検査が行われる
ことを特徴とする遊技機の検査方法。
【請求項５】
前記ＩＣタグ識別情報及び前記コード識別情報は、少なくとも主基板番号を示す一次元コードデータであることを特徴とする請求項４に記載の遊技機の検査方法。
【請求項６】
前記ＩＣタグ識別情報及び前記コード識別情報は、少なくともロット番号を示す二次元コードデータであることを特徴とする請求項４に記載の遊技機の検査方法。
【請求項７】
請求項１〜３のいずれかに記載の遊技機の検査システムを備えることを特徴とする遊技機。
【発明の詳細な説明】
【技術分野】
【０００１】
本発明は、遊技機の検査に係るものであり、特に、検査済みのＲＯＭが裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかの検査に適した遊技機の検査システム、遊技機の検査方法及び遊技機に関する。
【背景技術】
【０００２】
遊技機の一種として回胴式遊技機である、たとえばスロットマシンがある。スロットマシンは、複数の図柄が付された回転体としての複数のリールを備え、遊技者がメダルを投入してスタートレバーを操作することで各リールが回転を開始する。各リールが回転を開始した後、ストップボタンを操作したり所定時間が経過したりすることで、各リールが順次停止する。
【０００３】
また、スロットマシンでは、メダル（又はコインとも呼ばれている）の投入とスタートレバーの操作を条件として抽選を行い、その抽選結果が当選であり、かつ予め設定された有効ライン上に遊技者が当選した図柄を停止させることを条件として所定枚数のメダルが払い出されたり、遊技者に有利な特別遊技状態（ボーナスゲーム等）が発生する。
【０００４】
また、このようなスロットマシンは、前面側に開口を有する箱形の筐体と、この筐体の前面側に開閉自在に取り付けられた前扉とを備え、筐体の内部に遊技構成装置が配設されて、前扉が開口を覆う状態で遊技に供されるようになっている。また、その筐体の内部には、スロットマシンの各部に電力を供給するための電源装置が設けられており、この電源装置から供給される電力によりスロットマシンが作動するようになっている。
【０００５】
ところで、このようなスロットマシンでは、ゲームの演出に係る制御を主に行うサブ制御基板と、リールの回転駆動を制御する回胴装置基板と、ベットボタン、スタートレバー及びストップボタンによる操作信号を転送する中央表示基板と、各駆動部等への電力供給を制御する電源装置基板とを備え、これらの基板は主制御基板により集中制御されている。
【０００６】
また、主制御基板には、システムプログラムやスロットマシンゲーム用のプログラム等が書き込まれているＲＯＭ（Ｒｅａｄ  Ｏｎｌｙ  Ｍｅｍｏｒｙ）、このＲＯＭから所定のプログラムを読み出して所定の制御を行うＣＰＵ（Ｃｅｎｔｒａｌ  Ｐｒｏｃｅｓｓｉｎｇ  Ｕｎｉｔ）、このＣＰＵによる演算結果等を保持するＲＡＭ（Ｒａｎｄｏｍ  Ａｃｃｅｓｓ  Ｍｅｍｏｒｙ）等の電子素子等が搭載されており、ゲームの進行に合わせそのＲＯＭから読み出したプログラムに基づき、上述した各種基板への制御が行われるようになっている。
【０００７】
ところで、主制御基板に搭載されている上述した特にＲＯＭは、定期的な検査等のために基板上のコネクタに着脱自在となるように装着されている。また、上述した各電子素子等は、筐体の外部から内部に挿入されるセルや針金等の不正行為治具によって不正に弄られないように、基板ケースを構成する本体ケースと上蓋ケースとの間に挟持されたユニット構成とされている。
【０００８】
また、その上蓋ケースは、ホールスタッフ等により主制御基板上の各電子素子等の状態が確認し易いように透明なプラスチックで形成されている。さらに、その上蓋ケースは、法規制により検査済みシールが貼着されて封印されているとともに、本体ケースと上蓋ケースとがカシメ状態で結合する接続部材を介してカシメ結合され、上蓋ケースが開けられないようになっている。
【０００９】
また、主制御基板は、通常、筐体内部を正面から見たとき、所定数の図柄が付された３個のリールを有する回胴装置の上方に位置するように筐体内面に取り付けられている。これは、スロットマシンの構成上、筐体内部のほぼ中央寄りにその回胴装置が配置され、回胴装置の下方にメダルの払い出し等を行うホッパ装置や電源を供給する電源装置等が配置されるようになっており、主制御基板の状態を前扉を開けて確認し易い位置が回胴装置の上方となるためである。
【００１０】
また、主制御基板を、回胴装置の上方に位置するように筐体内面に取り付けることで、前扉側から見てその位置が最も遠くなり、しかも主制御基板が本体ケースと上蓋ケースとの間に挟持されたユニット構成とされていることで、筐体の外部から内部に挿入されるセルや針金等の不正行為治具によって主制御基板上の各種電子素子等が不正に弄られないような対策もとることができるようになっている。
【００１１】
ところが、主制御基板に対して上述のようにセルや針金等の不正行為治具による不正行為に対する様々な対策が講じられているにも関わらず、たとえば遊戯中等に前扉が不正に開けられ、主制御基板上のＲＯＭがプログラムの内容が書き換えられた、いわゆる裏ＲＯＭ又は不正ＲＯＭと呼ばれるものに不正に差し替えられてしまうことがある。さらに、不正な制御基板が収容された基板ケースが現在使用されている基板ケースと差し替えられてしまうこともある。
【００１２】
これは、筐体内部における主制御基板が上述した上蓋ケースによって覆われているが、前扉が不正に開けられてしまうと、その主制御基板が回胴装置の上方、すなわち手で触ることができる位置に取り付けられているからである。特に、上蓋ケースは、検査済みシールによって封印され、さらに上述したカシメ結合により上蓋ケースが開けられないようになっているにも関わらず、ホールスタッフ等により主制御基板上の各電子素子等の状態が確認し易いように透明なプラスチックで形成されているため、半田ごて等の熱によって穴が開けられやすいためでもある。
【００１３】
なお、上蓋ケースに開けられた穴から検査済みのＲＯＭが裏ＲＯＭ又は不正ＲＯＭと呼ばれるものに差し替えられた場合、その開けられた穴を確認することで、裏ＲＯＭ又は不正ＲＯＭと呼ばれるものに差し替えられたことを確認できるが、その穴は不正に作成された偽造シールで覆うような偽装が施されていることがある。このような偽造シールで覆うような偽装が施されていると、スロットマシンの内部構成に詳しいホールスタッフ等が確認すればその偽装にすぐに気づくことができるが、スロットマシンの内部構成に詳しくないホールスタッフ等が確認した場合、その偽装に気づかずにいることがある。
【００１４】
このようにして、検査済みのＲＯＭが裏ＲＯＭ又は不正ＲＯＭと呼ばれるものに不正に差し替えられてしまうと、たとえば上述した特別遊技状態（ボーナスゲーム等）が半ば強制的に発生させられてしまい、不正にコインの払い出しが行われてしまうということを招いてしまう。
【００１５】
このような不正行為の管理を行うようにしたものとして、特許文献１では、パーソナルコンピュータとパチンコ遊技機との間にＩＤ読取装置を接続し、パーソナルコンピュータからの識別情報要求指令に応じて、ＩＤ読取装置からパチンコ遊技機に識別情報要求信号を出力し、パチンコ遊技機の制御マイクロコンピュータからの応答である固有の識別情報をＩＤ読取装置からパーソナルコンピュータに出力し、パーソナルコンピュータ側でその固有の識別情報からパチンコ遊技機の制御マイクロコンピュータが真正なものであるか否かを管理するようにした遊技機管理装置を提案している。
【００１６】
【特許文献１】特開２００２−３４６１８６号公報
【発明の開示】
【発明が解決しようとする課題】
【００１７】
このように、上述した特許文献１では、パチンコ遊技機の制御マイクロコンピュータからの応答である固有の識別情報をＩＤ読取装置からパーソナルコンピュータに出力し、パーソナルコンピュータ側でその固有の識別情報からパチンコ遊技機の制御マイクロコンピュータが真正なものであるか否かを管理することで、遊技機においての正規の制御マイクロコンピュータとは異なる制御マイクロコンピュータに差し替えられてしまったことを容易に発見できるようになっている。
【００１８】
ところで、このような固有の識別情報を管理する方法では、ＩＤ読取装置を読み取り対象となるパチンコ遊技機に接続しなければならない。そのため、たとえばパチンコ遊技機を生産する生産工場においては、たとえばコンベア上を流れてくるパチンコ遊技機にＩＤ読取装置を接続すればよいので、ＩＤ読取装置及びパーソナルコンピュータを持ち運ぶことがなく、その接続及び固有の識別情報の読み取りに手間はそれほどかからないものと思われる。
【００１９】
ところが、各ホールでの設置時あるいは設置後に、それぞれのパチンコ遊技機の制御マイクロコンピュータからの固有の識別情報を読み取ろうとすると、ＩＤ読取装置及びパーソナルコンピュータを読み取り対象となるパチンコ遊技機まで持ち運ぶ必要があるばかりか、読み取り対象となるパチンコ遊技機にＩＤ読取装置を接続しなければならず、各パチンコ遊技機の固有の識別情報を管理する作業が極めて煩雑である。
【００２０】
すなわち、ホール等においては、少なくとも一日に一回はたとえば主制御基板上の各電子素子等の状態の確認作業を行う必要があり、その確認作業に併せて各パチンコ遊技機の固有の識別情報を読み取ろうとすると、ＩＤ読取装置及びパーソナルコンピュータを持ち運びながら、それぞれのパチンコ遊技機にＩＤ読取装置を接続して固有の識別情報を読み取っていく作業を繰り返さなければならないためである。
【００２１】
このようなことから、少なくとも一日に一回は行われるたとえば主制御基板上の各電子素子等の状態の確認作業に併せて、検査済みのＲＯＭが裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかを容易に検査できる装置の開発が望まれていた。
【００２２】
本発明は、このような状況に鑑みてなされたものであり、少なくとも一日に一回は行われるたとえば制御基板上の各電子素子等の状態の確認作業に併せて、検査済みのＲＯＭが裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかを容易に検査することができる遊技機の検査システム、遊技機の検査方法及び遊技機を提供することを目的とする。
【課題を解決するための手段】
【００２３】
本発明の遊技機の検査システムは、遊技機に設けられている、少なくとも基板ケースに収容された制御基板に搭載される主要部品を検査する遊技機の検査システムであって、前記基板ケース、前記制御基板又は前記主要部品のいずれかに貼着され、非接触で読み取られる固有のＩＣタグ識別情報を有する第１封印シールと、前記基板ケース又は前記制御基板のいずれかに貼着され、非接触で読み取られる固有のコード識別情報を有する第２封印シールと、前記ＩＣタグ識別情報と前記コード識別情報とを非接触により読み取る読取装置とを備え、前記読取装置によって読み取られた前記ＩＣタグ識別情報と前記コード識別情報との一致又は不一致の確認により、少なくとも前記主要部品の検査が行われることを特徴とする。
【００２４】
また、前記ＩＣタグ識別情報及び前記コード識別情報は、少なくとも主基板番号を示す一次元コードデータであるようにしてもよい。
また、前記ＩＣタグ識別情報及び前記コード識別情報は、少なくともロット番号を示す二次元コードデータであるようにしてもよい。
【００２５】
本発明の遊技機の検査方法は、遊技機に設けられている、少なくとも基板ケースに収容された制御基板に搭載される主要部品を検査する遊技機の検査方法であって、前記基板ケース、前記制御基板又は前記主要部品のいずれかに貼着される第１封印シールから固有のＩＣタグ識別情報を読み取る工程と、前記基板ケース又は前記制御基板のいずれかに貼着される第２封印シールから固有のコード識別情報を読み取る工程とを有し、読み取られた前記ＩＣタグ識別情報と前記コード識別情報との一致又は不一致の確認により、少なくとも前記主要部品の検査が行われることを特徴とする。
【００２６】
また、前記ＩＣタグ識別情報及び前記コード識別情報は、少なくとも主基板番号を示す一次元コードデータであるようにしてもよい。
また、前記ＩＣタグ識別情報及び前記コード識別情報は、少なくともロット番号を示す二次元コードデータであるようにしてもよい。
【００２７】
本発明の遊技機は、請求項１〜３のいずれかに記載の遊技機の検査システムを備えることを特徴とする。
【００２８】
本発明の遊技機の検査システム、遊技機の検査方法及び遊技機では、基板ケース、制御基板又は主要部品のいずれかに貼着される第１封印シールから固有のＩＣタグ識別情報を読み取り、基板ケース又は制御基板のいずれかに貼着される第２封印シールから固有のコード識別情報を読み取り、その読み取ったＩＣタグ識別情報とコード識別情報との一致又は不一致の確認により、少なくとも主要部品の検査が行われる。
【発明の効果】
【００２９】
本発明の遊技機の検査システム、遊技機の検査方法及び遊技機によれば、第１封印シールから読み取ったＩＣタグ識別情報と、第２封印シールから読み取ったコード識別情報との一致又は不一致の確認により、少なくとも主要部品の検査が行われるようにしたので、少なくとも一日に一回は行われるたとえば制御基板上の各電子素子等の状態の確認作業に併せて、検査済みのＲＯＭが裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかを容易に検査することができる。
【発明を実施するための最良の形態】
【００３０】
本実施形態では、読取装置により、基板ケース、制御基板又は主要部品のいずれかに貼着される第１封印シールから固有のＩＣタグ識別情報を読み取り、基板ケース又は制御基板のいずれかに貼着される第２封印シールから固有のコード識別情報を読み取り、その読み取ったＩＣタグ識別情報とコード識別情報との一致又は不一致の確認により、少なくとも主要部品の検査が行われるようにした。
【００３１】
ここで、ＩＣタグ識別情報及びコード識別情報は、たとえば少なくとも主基板番号を示す一次元コードデータであるため、そのＩＣタグ識別情報及びコード識別情報をハンディタイプの読取装置により非接触で読み取ることができる。
【００３２】
そして、読み取ったＩＣタグ識別情報とコード識別情報との一致又は不一致の確認により、少なくとも主要部品であるたとえば検査済みのＲＯＭの検査が行われるようにすることで、少なくとも一日に一回は行われるたとえば制御基板上の各電子素子等の状態の確認作業に併せ、検査済みのＲＯＭが裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかを容易に検査することができる。
【００３３】
なお、本発明の遊技機の検査システムは、後述の読取装置５００と、後述のたとえば基板ケースの上蓋ケース２３０に貼着されている第１封印シールとしての基板ケースシール２５０と、後述のたとえば上蓋ケース２３０に貼着されている第２封印シールとしての管理表２５２とで構成されている。
【実施例】
【００３４】
以下、本発明の実施例の詳細について説明する。図１は、本発明の遊技機の検査システムが適用される回胴式遊技装置の一例を示す斜視図である。
【００３５】
同図に示すように、回胴式遊技装置であるスロットマシン１は、遊技者側に面する、いわゆるフロントマスクを構成する前扉３が略矩形状の箱体である筐体２の開口側に対し図示しない蝶番機構により左側端部側を回動支点として開閉可能に取り付けられている。前扉３は、上パネル部１０と、操作卓部２０と、下パネル部３０とに概ね分けられ、これらは化粧板として視覚効果を高めてデザインされた硬質プラスチックにより一体的に形成されている。
【００３６】
上パネル部１０には、高輝度発光ダイオードを内蔵した上部ランプ１１及びサイドランプ１２ａ，１２ｂが配置され、リーチや大当たり等の際に点灯又は点滅して遊技者の視覚に訴える演出を行っている。また、上パネル部１０には、左右にスピーカを内蔵した演出用放音部１３ａ，１３ｂが設けられ、これらの演出用放音部１３ａ，１３ｂによりゲームの進行に応じて選択される効果音や楽音等による演出が行われる。
【００３７】
さらに、演出用放音部１３ａ，１３ｂの間には、表示窓１４ａが形成されており、その表示窓１４ａから液晶表示部１４ｂが見えるように液晶表示ユニット１４が配置されている。液晶表示ユニット１４は、ゲームの進行に応じて選択された動画像を表示して、当該ゲームにストーリー性を与えたり、また、遊技者に内部当選結果を暗示して期待感を惹起させたりする等の演出を行っている。
【００３８】
また、上パネル部１０の中央には、略長方形の透明な表示窓１５ａと、遊技状態等をランプ表示する情報表示部とが形成されたパネル板１５が取り付けられている。そして、筐体２内に設けられている後述の回胴装置１００の３個の円筒状のリール１０１，１０２，１０３が表示窓１５ａを通して目視されるように構成されている。
【００３９】
すなわち、リール１０１，１０２，１０３の外周面には、所定数（たとえば２１個）の図柄が付された長尺状のプラスチックシートであるリールテープがそれぞれ捲装されて貼り付けられており、表示窓１５ａ側に臨む縦３個、横３列の図柄が表示窓１５ａを通して遊技者側から目視されるようになっている。
【００４０】
操作卓部２０には、ゲームに使用するメダルを投入するための投入口を有するメダル投入部２１、コインをベットするベットボタン２２、ゲームの操作を指示するスタートレバー２３、回胴装置１００のリール１０１，１０２，１０３をストップさせるストップボタン２４ａ，２５ｂ，２５ｃ等が設けられている。
【００４１】
ここで、現状のスロットマシン１では、１ゲームに必要とされるメダルが３枚となっているため、３枚を超えてメダルがメダル投入部２１に連続投入されると、最大５０枚までクレジットされるようになっている。
【００４２】
ベットボタン２２は、スロットマシン１のゲームに賭けるメダルの枚数を提示するための押圧式の操作スイッチであり、ＭＡＸベットボタンと呼ばれている。すなわち、メダルがクレジットされているとき、ゲーム開始時にベットボタン２２を操作すると、そのクレジットされているメダルのうち３枚がベットされるようになっている。
【００４３】
スタートレバー２３は、回胴装置１００のリール１０１，１０２，１０３を一斉に回転させる指示をするためのレバースイッチであり、先端に設けられている球形の操作ノブを上下左右のいずれかの方向に傾倒操作するとオン作動し、その操作ノブから手が離されるとスプリングの付勢力によって自動的に元の位置に戻ってオフするように構成されている。
【００４４】
ストップボタン２４ａ，２５ｂ，２５ｃは、回胴装置１００のリール１０１，１０２，１０３の回転停止を個別に指示するための押圧式スイッチであり、各リール１０１，１０２，１０３の配列に対応してそれぞれ並設されている。
【００４５】
また、操作卓部２０には、鍵穴２５を有する図示しない施錠装置が設けられている。そして、ホールスタッフ等がメンテナンス作業や出玉管理作業等を行う場合、その施錠装置の鍵穴２５に専用鍵を差し込んでロックを解除すると、図２のように前扉３が左端部側を支点として片開きされ、筐体２の開口が開放されるようになっている。
【００４６】
下パネル部３０には、スロットマシン１のモデルタイプ等を遊技者へ認識させるための、たとえば登場キャラクターの絵等を表示するパネル３１が設けられている。また、このパネル３１には、ある組合、たとえばスロットのメーカーによる組合によっての検査済みを示す証紙５０が貼着されている。証紙５０には、数字等の文字による本体製造番号と、たとえば一次元コードのコード識別情報であるバーコードによる本体製造番号とが印刷によって付されている。
【００４７】
なお、証紙５０には、微小なＩＣチップを有するタグを付加し、そのＩＣチップに本体製造番号や後述の主制御基板２２０の主基板番号等を記憶させてもよい。なお、証紙５０にタグを付加する場合、たとえばコイル（箔状アンテナ）とＩＣチップとが一体に集積化されたコイルオンチップをタック加工してラベル化したもの、あるいは箔状アンテナとＩＣチップ５１とが一体に集積化されたコイルオンチップをインモールド成形して貼着可能としたもののいずれかを用いることができる。
【００４８】
また、証紙５０には、一次元コードのコード識別情報であるバーコードに代えて、二次元コードのコード識別情報であるＱＲコードが印刷によって付されていてもよい。この場合、ＱＲコードにすることで、情報量を増やすことができ、本体製造番号や後述の主制御基板２２０の主基板番号等を含ませることができる。
【００４９】
下パネル部３０の下部には、メダルを貯留するための受皿部を形成する受皿ユニット４０が設けられている。受皿ユニット４０には、入賞時等においてメダルを排出するメダル排出口４１と、後述するスピーカ６１ａ，６１ｂを内蔵しゲームの進行に応じて演出効果音を発生させる演出効果音部４２ａ，４２ｂと、灰皿４３とがそれぞれ配設されている。
【００５０】
図２は、図１の回胴式遊技装置であるスロットマシン１の内部構成を示す正面図である。なお、図２は、前扉３を筐体２から開けた状態を表している。同図において、前扉３の裏面上部には、上部ランプ１１の光源である高輝度発光ダイオード６０が配列されるとともに、上述の演出用放音部１３ａ、１３ｂに対向してスピーカ６１ａ，６１ｂが取り付けられている。
【００５１】
また、図２には示されてはいないがスピーカ６１ａ，６１ｂの間に上述した液晶表示ユニット１４が位置しており、その液晶表示部１４ｂが表示窓１４ａに向けて取り付けられている。さらに、液晶表示部１４ｂの裏面側に、サブ制御基板ユニット３００が取り付けられている。このサブ制御基板ユニット３００は、硬質プラスチックのケースに図示しないサブ制御基板を収容したものである。
【００５２】
このサブ制御基板ユニット３００に収容されたサブ制御基板は、後述の主制御基板２２０からの演出開始を示唆する制御信号を受け取ると、上述の液晶表示部１４ｂによる動画像等の表示と、上述の上部ランプ１１及びサイドランプ１２ａ，１２ｂによる点滅又は点灯によっての演出と、上述の演出用放音部１３ａ，１３ｂによる効果音や楽音等による演出とが行われるようになっている。サブ制御基板ユニット３００の下方には、筐体２側のリール１０１，１０２，１０３を目視させるための表示窓１５ａを有するパネル板１６が取り付けられている。
【００５３】
パネル板１６の下方には、中央表示制御基板ユニット４００が取り付けられている。この中央表示制御基板ユニット４００は、硬質プラスチックのケースに図示しない中央表示制御基板を収容したものである。また、この図示しない中央表示制御基板には、上述した操作卓部２０に設けられているベットボタン２２、スタートレバー２３、ストップボタン２４ａ，２５ｂ，２５ｃ等のスイッチ類が電気的に接続されており、これらスイッチ類の出力信号が筐体２側の後述の主制御基板２２０に転送されるように配線接続されている。
【００５４】
中央表示制御基板ユニット４００の下方には、上述のメダル投入部２１より投入される投入物を正規のメダルか異物かを判別して振り分けるセレクト機構６２と、このセレクト機構６２によって振り分けられたメダルを筐体２内に設けられているホッパ装置６６へ案内するガイド部材６３と、セレクト機構６２で振り分けられた異物を上述のメダル排出口４１へ案内するガイド部材６４とが設けられている。また、メダル排出口４１の両側には、上述した演出効果音部４２ａ，４２ｂに対向してスピーカ６５ａ，６５ｂが取り付けられており、これにより上述した演出用放音部４２ａ，４２ｂを介して演出効果音を出力するように構成されている。
【００５５】
一方、筐体２内の上部には、主制御基板ユニット２００が取り付けられている。この主制御基板ユニット２００は、硬質プラスチックのケースにスロットマシン１の全体動作を集中制御する後述の主制御基板２２０を収容したものであるが、その詳細については後述する。なお、図中符号２５０は基板ケースシール、符号２５２は管理票をそれぞれ示している。これら基板ケースシール２５０及び管理票２５２の詳細についても後述する。
【００５６】
主制御基板ユニット２００の下方には、リール１０１，１０２，１０３を有する回胴装置１００が取り付けられている。この回胴装置１００は、前扉３が筐体２側に閉じられると表示窓１５ａにリール１０１，１０２，１０３が対向するように、筐体２の所定フレーム（符号略）に位置決めして取り付けられている。なお、これらのリール１０１，１０２，１０３は、図示しないステッピングモータの駆動軸に取り付けられ、同じく図示しない回胴装置基板によってステッピングモータの駆動が制御されるようになっている。
【００５７】
回胴装置１００の下方には、ホッパ装置６６と、ホッパ装置６６から溢れたメダルを収容するための補助貯留部６７と、主電源装置６８とが設けられている。主電源装置６８の側面には、いわゆる配電盤に相当する図示しない電源装置基板が設けられている。また、筐体２の内壁の一端には、ホール等に設置されている「ホールコンピュータ」と呼ばれる管理用コンピュータと接続可能な図示しない外部集中端子基板が取り付けられている。
【００５８】
図３は、上述した主制御基板２２０を組み込んだ主制御基板ユニット２００を説明するための分解斜視図である。同図に示す主制御基板ユニット２００は、ブラケット部材２４０を介して筐体２の背面側に取り付けられるようになっている。また、主制御基板ユニット２００は、硬質プラスチックよりなる本体ケース２１０と上蓋ケース２３０とからなる基板ケースを有し、これらの本体ケース２１０と上蓋ケース２３０との間に主制御基板２２０を収容している。
【００５９】
ブラケット部材２４０は、主として係合凹部２４１ａを有するリブ部２４１と、係止アーム２４２とを有し、これらによって主制御基板ユニット２００が保持されるようになっている。また、ブラケット部材２４０には、接続部材２０１を用いて上蓋ケース２３０を結合する封止筒部２４３が設けられている。また、ブラケット部材２４０には、筐体２の背面側に取り付けられるためのねじが挿入される複数のねじ穴２４４が設けられている。
【００６０】
一方、本体ケース２１０は、前面が開放する略矩形の箱体として透明なプラスチックで一体形成したものであり、その底板部に小ねじを介して主制御基板２２０が結合固定される。また、本体ケース２１０の上側壁には、上蓋ケース２３０とヒンジ結合するためのヒンジ軸部２１１が所定の間隔をおいて３カ所に形成されている。また、下側壁には、係止穴を有する２本の係止アーム２１２と、上蓋ケース２３０をカシメ結合する封止筒部２１３が４カ所に形成されている。
【００６１】
主制御基板２２０には、ＭＰＵ、ＲＯＭ、ＲＡＭ等が１チップ化されたＩＣチップ（以下、１チップＲＯＭという）２２１やＲＡＭ等のＩＣチップ２２２，２２３等が実装されている。ここで、１チップＲＯＭ２２１は検査済みである正規のＲＯＭであり、その１チップＲＯＭ２２１にはシステムプログラムやスロットマシンゲーム用のプログラム等が書き込まれている。そのため、１チップＲＯＭ２２１は定期的な検査等のために基板上の図示しないコネクタに着脱自在となるように装着されている。また、主制御基板２２０には、スロットマシン１に内蔵される他の制御回路基板、及び電子機器と電気的に接続するための基板側コネクタ２２４，２２５が実装されている。
【００６２】
上蓋ケース２３０は、透明なプラスチックにより一体的に形成された略矩形の蓋体であり、上側壁に本体ケース２１０のヒンジ軸部２１１と位置整合されたヒンジ軸受部２３１が形成されている。また、上蓋ケース２３０には、本体ケース２１０の封止筒部２１３と位置整合された封止キャップ部２３２が形成されている。また、上蓋ケース２３０には、ブラケット部材２４０の封止筒部２４３と位置整合された封止キャップ部２３３が形成されている。また、上蓋ケース２３０には、上述の基板側コネクタ２２４，２２５と位置整合されたコネクタ開口部２３４，２３５が形成されている。
【００６３】
そして、カシメ状態で結合する接続部材２０１を、上蓋ケース２３０の封止キャップ部２３２と本体ケース２１０の封止筒部２１３とに装着することで、上蓋ケース２３０が本体ケース２１０に結合されるようになっている。また、その接続部材２０１を、上蓋ケース２３０の封止キャップ部２３３とブラケット部材２４０の封止筒部２４３とに装着することで、上蓋ケース２３０がブラケット部材２４０に結合されるようになっている。このようにして、主制御基板２２０を組み込んだ主制御基板ユニット２００がブラケット部材２４０を介し筐体２の背面側に取り付けられることになる。
【００６４】
ここで、上蓋ケース２３０には、後述の図４に示すように、微小なＩＣチップ２５１等を有するタグが付加された第１封印シールとしての基板ケースシール２５０が貼着されている。ここで、そのＩＣチップ２５１には、固有のＩＣタグ識別情報として主基板番号が記憶されている。なお、そのＩＣチップ２５１には、主基板番号に併せて本体製造番号が記憶されていてもよい。この場合、後述の読取装置５００により、上述した証紙５０に付されている本体製造番号を示すバーコードとＩＣチップ２５１のＩＣタグ識別情報としての本体製造番号とを非接触で読み取ることで、それぞれの本体製造番号の一致又は不一致を確認することができる。
【００６５】
また、基板ケースシール２５０には、数字等の文字による主基板番号が印刷によって付されている。この場合、読取装置５００により非接触で読み取ったＩＣチップ２５１のＩＣタグ識別情報としての主基板番号と、印刷によって付されている数字等の文字による主基板番号との確認により、それぞれの主基板番号の一致又は不一致を確認することができる。
【００６６】
なお、ＩＣチップ２５１を有した基板ケースシール２５０としては、たとえばコイル（箔状アンテナ）とＩＣチップ２５１とが一体に集積化されたコイルオンチップをタック加工してラベル化したもの、あるいは箔状アンテナとＩＣチップ２５１とが一体に集積化されたコイルオンチップをインモールド成形して貼着可能としたもののいずれかを用いることができる。また、基板ケースシール２５０は、上蓋ケース２３０に限らず、主制御基板２２０側に貼着されてもよい。
【００６７】
また、上蓋ケース２３０には、後述の図４に示すような第２封印シールとしての管理票２５２が貼着されている。この管理票２５２には、数字等の文字による主基板番号と、たとえば一次元コードのコード識別情報であるバーコードによる主基板番号とが印刷によって付されている。なお、管理票２５２には、一次元コードのコード識別情報であるバーコードに代えて、二次元コードのコード識別情報であるＱＲコードが印刷によって付されていてもよい。また、管理票２５２は、上蓋ケース２３０に限らず、主制御基板２２０側に貼着されてもよい。
【００６８】
図４及び図５は、上述したＩＣタグ識別情報やコード識別情報を読み取る読取装置の一例を示す図である。ここで、図４は読取装置の外観を示す図、図５は図４の読取装置の内部構成を示すブロック図である。
【００６９】
まず、図４に示すように、読取装置５００は、ハンディタイプであり、少なくともタグ情報読取部５０１と、コード情報読取部５０１ａと、スピーカ５０２と、表示部５０３と、操作部５０４とを有している。タグ情報読取部５０１は、無線通信によって基板ケースシール２５０のＩＣチップ２５１のＩＣタグ識別情報とを読み取るものである。ここで、その通信方式としては、静電結合方式、電磁結合方式、電磁誘導結合方式、マイクロ波方式、光方式のいずれかを用いることができる。
【００７０】
コード情報読取部５０１ａは、証紙５０に付されているコード識別情報であるバーコードや、管理票２５２に付されているコード識別情報であるバーコード等を、光スキャンによって読み取るものである。
【００７１】
スピーカ５０２は、たとえばタグ情報読取部５０１又はコード情報読取部５０１ａによる読取完了を音声によって知らせるものである。なお、タグ情報読取部５０１又はコード情報読取部５０１ａによる読取エラーが生じた場合に、スピーカ５０２からエラー音が出力されるようにしてもよい。表示部５０３は、タグ情報読取部５０１によって読み取られたＩＣタグ識別情報や、コード情報読取部５０１ａによって読み取られたコード識別情報等を表示するものである。
【００７２】
すなわち、たとえば基板ケースシール２５０のＩＣチップ２５１からのＩＣタグ識別情報と、管理票２５２のバーコードからのコード識別情報とがそれぞれ主基板番号である場合は、それぞれの主基板番号が表示部５０３に表示されることになる。ここで、表示部５０３に表示されるそれぞれの主基板番号が一致しているかどうかを確認することで、少なくとも基板ケースシール２５０が偽造シールに貼り替えられたかどうかを認識できる。なお、管理票２５２のバーコードからのコード識別情報を読み取らずに、基板ケースシール２５０のＩＣチップ２５１から読み取ったＩＣタグ識別情報と、基板ケースシール２５０又は管理票２５２に印刷されている主基板番号との確認により、少なくとも基板ケースシール２５０が偽造シールに貼り替えられたかどうかを認識してもよい。
【００７３】
また、表示部５０３に表示されるそれぞれの主基板番号が一致しているかどうかの確認により、上述した検査済みの１チップＲＯＭ２２１が裏ＲＯＭ又は不正ＲＯＭと呼ばれるものに不正に差し替えられていないかどうか、あるいは不正な主制御基板が収容された基板ケースが現在使用されている主制御基板ユニット２００と不正に差し替えられていないかどうかを容易に検査することができる。
【００７４】
また、基板ケースシール２５０のＩＣチップ２５１からのＩＣタグ識別情報と、管理票２５２のバーコードからのコード識別情報との読み取りは、ハンディタイプの読取装置５００により非接触で行われるため、少なくとも一日に一回は行われるたとえば主制御基板２２０上の各電子素子等の状態の確認作業に併せた上述の検査を容易に行うことができる。
【００７５】
操作部５０４は、図５に示すように、少なくとも基板ケースシール２５０のＩＣチップ２５１のＩＣタグ識別情報とを読み取る際に操作されるタグ情報読取キー５０４ａと、証紙５０のバーコードや管理票２５２のバーコードを読み取る際に操作されるコード情報読取キー５０４ｂとを有している。
【００７６】
また、読取装置５００の内部には、図５に示すように、読取駆動部５０５、読取情報処理部５０６、スピーカ駆動部５０７、表示駆動部５０８、内部Ｉ／Ｆ（インタフェース）５０９、ＲＯＭ５１０、ＲＡＭ５１１、ＣＰＵ５１２等が設けられている。
【００７７】
読取駆動部５０５は、タグ情報読取キー５０４ａの操作に応じてタグ情報読取部５０１に対し、基板ケースシール２５０のＩＣチップ２５１に記憶されているＩＣタグ識別情報を読み取るための信号を送信させ、さらに基板ケースシール２５０のＩＣチップ２５１からの返信信号を受け取らせる。また、読取駆動部５０５は、コード情報読取キー５０４ｂの操作に応じてコード情報読取部５０１ａに対し、証紙５０のバーコードと、管理票２５２のバーコードとを読み取らせる。
【００７８】
読取情報処理部５０６は、基板ケースシール２５０のＩＣチップ２５１から受け取った信号を処理し、表示部５０３に表示される表示信号とする。また、読取情報処理部５０６は、コード情報読取部５０１ａによって読み取られたバーコードを処理し、表示部５０３に表示される表示信号とする。
【００７９】
スピーカ駆動部５０７は、たとえばタグ情報読取部５０１又はコード情報読取部５０１ａによる読取完了を示す音声、あるいはタグ情報読取部５０１又はコード情報読取部５０１ａによる読取エラーが生じた場合のエラー音をスピーカ５０２から出力させる。
【００８０】
表示駆動部５０８は、読取情報処理部５０６によって処理された表示信号に基づき、表示部５０３に、ＩＣタグ識別情報又はコード識別情報から得られる主基板番号等を表示させる。
【００８１】
内部Ｉ／Ｆ（インタフェース）５０９は、操作部５０４の少なくとも基板ケースシール２５０のＩＣチップ２５１のＩＣタグ識別情報を読み取る際に操作されるタグ情報読取キー５０４ａと、証紙５０のバーコードや管理票２５２のバーコードを読み取る際に操作されるコード情報読取キー５０４ｂとのいずれかからの入力を受け付ける。
【００８２】
ＲＯＭ５１０には、少なくともＣＰＵ５１２による制御に必要な制御プログラムが格納されている。ＲＡＭ５１１には、タグ情報読取部５０１によって読み取られたＩＣタグ識別情報又はコード情報読取部５０１ａによって読み取られたコード識別情報等が記憶される。
【００８３】
ＣＰＵ５１２は、ＲＯＭ５１０に格納されている制御プログラムに基づいて各部の動作を制御する。ＣＰＵ５１０による主な制御としては、基板ケースシール２５０のＩＣチップ２５１のＩＣタグ識別情報を読み取る際のタグ情報読取キー５０４ａの操作に応じて読取駆動部５０５を制御し、タグ情報読取部５０１によってそれらのＩＣタグ識別情報を読み取らせることである。
【００８４】
また、ＣＰＵ５１２による主な制御としては、証紙５０のバーコードや管理票２５２のバーコードを読み取る際に操作されるコード情報読取キー５０４ｂの操作に応じて読取駆動部５０５を制御し、コード情報読取部５０１ａによってそれらのコード識別情報を読み取らせることである。
【００８５】
また、ＣＰＵ５１２による主な制御としては、タグ情報読取部５０１によって基板ケースシール２５０のＩＣチップ２５１のＩＣタグ識別情報が読み取られた後、読取情報処理部５０６に対し、そのＩＣタグ識別情報を表示信号とするように処理させることである。また、ＣＰＵ５１２による主な制御としては、コード情報読取部５０１ａによって証紙５０のバーコードや管理票２５２のバーコードが読み取られた後、読取情報処理部５０６に対し、それらのコード識別情報を表示信号とするように処理させることである。
【００８６】
なお、読取装置５００には、読み取ったＩＣタグ識別情報とコード識別情報とが一致しているか否かを判定する判定部を設けておき、その判定部による判定結果が一致又は不一致であるとき、その判定結果を表示部５０３に表示させるようにしてもよい。この場合、判定部による判定結果に応じてスピーカ５０２から一致を示す音、又は不一致を示す音が出力されるようにしてもよい。このように、判定結果を表示又は音声出力とすることで、読み取ったＩＣタグ識別情報とコード識別情報との一致又は不一致の確認をさらに容易に行える。
【００８７】
次に、スロットマシン１の検査方法について説明する。なお、以下においては、読取装置５００により、基板ケースシール２５０のＩＣチップ２５１のＩＣタグ識別情報と、管理票２５２のコード識別情報とが非接触で読み取られるものとして説明する。
【００８８】
まず、図６に示すように、少なくとも一日に一回は行われるたとえば主制御基板２２０上の各電子素子等の状態の確認作業に併せ、上述した検査済みの１チップＲＯＭ２２１が裏ＲＯＭ又は不正ＲＯＭと呼ばれるものに不正に差し替えられていないかどうか、あるいは不正な主制御基板が収容された基板ケースが現在使用されている主制御基板ユニット２００と不正に差し替えられていないかどうかを検査を開始する場合（ステップＳ１）、前扉３の操作卓部２０の鍵穴２５に専用鍵を差し込んでロックを解除し、前扉３を開放しておく。
【００８９】
次いで、読取装置５００のタグ情報読取部５０１を、筐体２の内部に取り付けられている主制御基板ユニット２００の上蓋ケース２３０に貼着されているＩＣチップ２５１を有する基板ケースシール２５０に近づけ、操作部５０４のタグ情報読取キー５０４ａを操作する。このとき、上述したように、ＣＰＵ５１２により、読取駆動部５０５が制御され、タグ情報読取部５０１によって基板ケースシール２５０のＩＣチップ２５１に記憶されているＩＣタグ識別情報が読み取られ（ステップＳ２）、その読み取られたＩＣタグ識別情報が一旦、ＲＡＭ５１１に記憶される。
【００９０】
次いで、ＣＰＵ５１２により、表示駆動部５０８が制御され、読取情報処理部５０６によって処理された表示信号に基づき、表示部５０３に読み取られたＩＣタグ識別情報が表示される（ステップＳ３）。すなわち、読み取られたＩＣタグ識別情報が、上述したように、主基板番号である場合はその主基板番号が表示されることになる。
【００９１】
次に、読取装置５００のコード情報読取部５０１ａを、主制御基板ユニット２００の上蓋ケース２３０に貼着されている管理票２５２に近づけ、操作部５０４のコード情報読取キー５０４ｂを操作する。このとき、上述したように、ＣＰＵ５１２により、読取駆動部５０５が制御され、コード情報読取部５０１ａによって管理票２５２に印刷されているバーコードが光スキャンによって読み取られ（ステップＳ４）、その読み取られたコード識別情報が一旦、ＲＡＭ５１１に記憶される。
【００９２】
次いで、ＣＰＵ５１２により、表示駆動部５０８が制御され、読取情報処理部５０６によって処理された表示信号に基づき、表示部５０３に読み取られたコード識別情報が表示される（ステップＳ５）。すなわち、読み取られたコード識別情報が、上述したように、主基板番号である場合はその主基板番号が表示されることになる。
【００９３】
また、管理票２５２から読み取られたコード識別情報は、先に読み取られた基板ケースシール２５０のＩＣチップ２５１からのＩＣタグ識別情報と対比し易いように表示部５０３に表示される。この場合、表示部５０３にＩＣタグ識別情報とコード識別情報とを上下、又は左右に並べて表示されるようにすればよい。これにより、表示されるＩＣタグ識別情報及びコード情報がたとえば主基板番号である場合、それぞれの主基板番号の文字数あるいは文字内容の比較によって一致又は不一致を容易に確認できる。
【００９４】
そして、表示部５０３に表示されるそれぞれの主基板番号が一致しているかどうかの確認により、上述した検査済みの１チップＲＯＭ２２１が裏ＲＯＭ又は不正ＲＯＭと呼ばれるものに不正に差し替えられていないかどうか、あるいは不正な主制御基板が収容された基板ケースが現在使用されている主制御基板ユニット２００と不正に差し替えられていないかどうかを容易に検査することができる。
【００９５】
また、このような読取装置５００による基板ケースシール２５０のＩＣチップ２５１からのＩＣタグ識別情報の読み取りと、管理票２５２からのコード識別情報との読み取りとを、他のスロットマシン１でも同様に繰り返し行うことで、上述した検査が容易に行える。また、複数台のスロットマシン１に対して順々に検査する際、読取装置５００を持ち運ぶことになるが、読取装置５００がハンディタイプであることから、その持ち運びが負担になることもない。
【００９６】
また、上述したスロットマシン１の検査方法の手順を読取装置５００の表示部５０３に表示しておくようにしてもよく、このようにした場合は、検査の初心者であっても検査を容易に実行することが可能となる。
【００９７】
このように、本実施例では、読取装置５００により、たとえば基板ケースの上蓋ケース２３０に貼着されている基板ケースシール２５０のＩＣチップ２５１から固有のＩＣタグ識別情報であるたとえば主基板番号を読み取り、同じくたとえば上蓋ケース２３０に貼着されている管理表２５２に印刷されたバーコードからコード識別情報を読み取り、その読み取ったＩＣタグ識別情報とコード識別情報との一致又は不一致の確認により、少なくとも主要部品である検査済みの１チップＲＯＭ２２１の検査が行われるようにした。
【００９８】
これにより、少なくとも一日に一回は行われるたとえば主制御基板２２０上の各電子素子等の状態の確認作業に併せて、検査済みのＲＯＭ２２０が裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかを容易に検査することができる。
【００９９】
また、複数台のスロットマシン１に対して順々に検査する際、読取装置５００を持ち運ぶことになるが、読取装置５００がハンディタイプであることから、その持ち運びが負担になることもない。
【０１００】
また、このような検査方法を採用することで、たとえば検査済みの１チップＲＯＭ２２１が裏ＲＯＭ又は不正ＲＯＭと呼ばれるものに不正に差し替えられるとき、上蓋ケース２３０に貼着されている基板ケースシール２５０が偽造されたシールに貼り替えられることがあるが、その偽造されたシールに基板ケースシール２５０に設けられているＩＣチップ２５１を設ける必要があるばかりか、そのＩＣチップに主基板番号等を記憶させる必要があるため、たとえば検査済みの１チップＲＯＭ２２１の不正な差し替えが困難となり、不正行為を思い止めさせることができる。
【０１０１】
なお、本実施例では、基板ケースシール２５０のＩＣチップ２５１からのＩＣタグ識別情報と、管理票２５２のコード識別情報とを読み取る場合で説明したが、この例に限らず、上述したように、基板ケースシール２５０のＩＣタグ識別情報と、証紙５０のバーコードのコード識別情報とを読み取って少なくとも検査済みの１チップＲＯＭ２２１の検査が行われるようにしてもよい。この場合、基板ケースシール２５０のＩＣタグ識別情報と、証紙５０のコード識別情報の内容を、たとえば本体製造番号等のように同じ内容にしておけばよい。
【０１０２】
さらに、基板ケースシール２５０のＩＣタグ識別情報と、管理票２５２のコード識別情報と、証紙５０のコード識別情報とをそれぞれ読み取って、少なくとも検査済みの１チップＲＯＭ２２１の検査が行われるようにしてもよい。この場合、基板ケースシール２５０のＩＣタグ識別情報と、管理票２５２のコード識別情報と、証紙５０のコード識別情報との内容を、たとえば本体製造番号等のように同じ内容にしておけばよい。
【０１０３】
また、本実施例では、次のような他の検査方法１〜７により、検査済みの１チップＲＯＭ２２１の検査が行われるようにすることも可能である。
【０１０４】
（他の検査方法１）
基板ケースシール２５０を貼着せずに、少なくとも主基板番号を示すＩＣタグ識別情報と、数字等の文字による印刷された主基板番号とを有するロムシールを主制御基板２２０又は１チップＲＯＭ２２１に貼着する。この場合、読取装置５００によりロムシールから読み取ったＩＣタグ識別情報と、たとえば管理票２５２のバーコードから読み取ったコード識別情報との確認により、一致又は不一致を確認することができる。また、ロムシールから読み取ったＩＣタグ識別情報と、管理票２５２に印刷されている主基板番号又はロムシールに印刷されている主基板番号との確認により、一致又は不一致を確認することもできる。また、ロムシールを主制御基板２２０又は１チップＲＯＭ２２１に貼着されるようにしておけば、上蓋ケース２３０に半田ごて等の熱によって穴が開けらた際、その穴が偽造されたシールで覆われていても、本来貼着されていないシールが貼着されているということを確認でき、たとえば検査済みの１チップＲＯＭ２２１を裏ＲＯＭ又は不正ＲＯＭと呼ばれるものに不正に差し替えられたことを直ちに確認することができる。
【０１０５】
（他の検査方法２）
たとえば上蓋ケース２３０に貼着される基板ケースシール２５０には、ＩＣチップ２５１を設けるとともに、数字等の文字による主基板番号が印刷によって付されているようにする。この場合、上述したロムシールは不要とする。また、この場合、検査済みの１チップＲＯＭ２２１をセキュリティーを高めたＶ４チップと呼ばれるものとし、基板ケースシール２５０のＩＣチップ２５１にはたとえばＶ４チップのロット番号を示す二次元コードであるＱＲコードデータを書き込むようにする。さらに、そのＶ４チップにたとえばロット番号を示す二次元コードであるＱＲコードと、そのロット番号とを印刷等によって付しておく。このように、ＩＣチップ２５１にＶ４チップのＱＲコードデータを書き込むようにすることで、読取装置５００によりＩＣチップ２５１からセキュリティーを高めたＩＣタグ識別情報を読み取ることができる。また、ＩＣチップ２５１にＶ４チップのＱＲコードデータを書き込むようにすることで、基板ケースシール２５０を偽造されたシールに貼り替えようとしても、その偽造されたシールに基板ケースシール２５０に設けられているＩＣチップ２５１を設ける必要があるばかりか、そのＩＣチップにＶ４チップのＱＲコードデータを書き込む必要があるため、シールの偽造を困難とすることができる。
【０１０６】
（他の検査方法３）
基板ケースシール２５０を貼着せずに、少なくとも主基板番号を示すＩＣタグ識別情報と、数字等の文字による印刷された主基板番号とを有するロムシールを主制御基板２２０又は１チップＲＯＭ２２１に貼着する。この場合、そのＩＣタグ識別情報を上述したＶ４チップのＱＲコードデータとする。これにより、上記同様に、上蓋ケース２３０に半田ごて等の熱によって穴が開けらた際、その穴が偽造されたシールで覆われていても、本来貼着されていないシールが貼着されているということを確認できる。また、ＩＣタグ識別情報を上述したＶ４チップのＱＲコードデータとする必要があるため、シールの偽造を困難とすることができる。
【０１０７】
（他の検査方法４）
たとえば上蓋ケース２３０に上述した基板ケースシール２５０を貼着する。この場合、上述したロムシールは不要とする。また、この場合、基板ケースシール２５０のＩＣチップ２５１にはＶ４チップのＱＲコードデータと主基板番号とを書き込むようにする。このように、ＩＣチップ２５１にＶ４チップのＱＲコードデータと主基板番号とを書き込むようにすることで、読取装置５００によりＩＣチップ２５１からセキュリティーを高めたデータ及び主基板番号とを含むＩＣタグ識別情報を読み取ることができる。また、ＩＣチップ２５１にＶ４チップのＱＲコードデータと主基板番号とを書き込むようにすることで、そのＩＣチップにＶ４チップのＱＲコードデータと主基板番号とを書き込む必要があるため、シールの偽造を困難とすることができる。
【０１０８】
（他の検査方法５）
基板ケースシール２５０を貼着せずに、少なくともＱＲコードデータと主基板番号とを示すＩＣタグ識別情報と、数字等の文字による印刷された主基板番号とを有するロムシールを主制御基板２２０又は１チップＲＯＭ２２１に貼着する。この場合、上記同様に、上蓋ケース２３０に半田ごて等の熱によって穴が開けらた際、その穴が偽造されたシールで覆われていても、本来貼着されていないシールが貼着されているということを確認できる。また、ＩＣタグ識別情報を上述したＶ４チップのＱＲコードデータと主基板番号とを含むようにする必要があるため、シールの偽造を困難とすることができる。
【０１０９】
（他の検査方法６）
上述した基板ケースシール２５０又はロムシールのＩＣタグ識別情報をユニークＩＤとする。この場合、そのユニークＩＤに、たとえば所定のデータを付加しておいてもよい。このように、ＩＣタグ識別情報を少なくともユニークＩＤとすることで、シールの偽造しようとする者は、その少なくともユニークＩＤを取得することができず、シールの偽造を困難とすることができる。
【０１１０】
（他の検査方法７）
上述した基板ケースシール２５０及びロムシールを貼着せずに、上述した管理票２５２にユニークＩＤとバーコードによる主基板番号とを付すようにする。この場合、読み取ったバーコードとユニークＩＤとの確認により、一致又は不一致を確認することができる。
【産業上の利用可能性】
【０１１１】
スロットマシンに限らず、パチンコ機、ピンボールゲーム機、アレンジボールゲーム機、じゃん球といった他の遊技機にも適用可能である。
【図面の簡単な説明】
【０１１２】
【図１】本発明の遊技機の検査システムが適用される回胴式遊技装置の一例を示す斜視図である。
【図２】図１の回胴式遊技装置の内部構成を示す正面図である。
【図３】図１の回胴式遊技装置の筐体内部に取り付けられている主制御基板を組み込んだ主制御基板ユニットを分解して示す斜視図である。
【図４】図１及び図３の証紙、管理票及び基板ケースシールのコード識別情報やＩＣタグ識別情報等を読み取る読取装置の一例の外観を示す図である。
【図５】図４の読取装置の内部構成を示すブロック図である。
【図６】図１のスロットマシンの検査方法について説明するためのフローチャートである。
【符号の説明】
【０１１３】
１  スロットマシン
２  筐体
３  前扉
１０  上パネル部
２０  操作卓部
３０  下パネル部
３１  パネル
４０  受皿ユニット
５０  証紙
６６  ホッパ装置
６７  補助貯留部
６８  主電源装置
１００  回胴装置
１０１，１０２，１０３  リール
２００  主制御基板ユニット
２１０  本体ケース
２２０  主制御基板
２２１  １チップＲＯＭ
２３０  上蓋ケース
２４０  ブラケット部材
２５０  基板ケースシール
２５１  ＩＣチップ
２５２  管理票
３００  サブ制御基板ユニット
４００  中央表示制御基板ユニット
５００  読取装置
５０１  タグ情報読取部
５０１ａ  コード情報読取部
５０２  スピーカ
５０３  表示部
５０４  操作部
５０４ａ  タグ情報読取キー
５０４ｂ  コード情報読取キー
５０５  読取駆動部
５０６  読取情報処理部
５０７  スピーカ駆動部
５０８  表示駆動部
５０９  内部Ｉ／Ｆ（インタフェース）
５１０  ＲＯＭ
５１１  ＲＡＭ
５１２  ＣＰＵ
【図１】
2008212566.tif 000003
【図２】
2008212566.tif 000004
【図３】
2008212566.tif 000005
【図４】
2008212566.tif 000006
【図５】
2008212566.tif 000007
【図６】
2008212566.tif 000008